(57)【要約】【課題】小型で通過帯域特性を向上した弾性表面波フィルタを提供することを目的としている。【解決手段】弾性波フィルタは、圧電基板と、圧電基板上に形成された複数のＩＤＴ電極と、複数のＩＤＴ電極にそれぞれ接続される第１、及び第２の配線電極とを備えた弾性表面波フィルタであって、前記第１の配線電極は入力側のＩＤＴ電極に接続され、前記第２の配線電極は出力側のＩＤＴ電極に接続され、前記第１、及び前記第２の配線電極とは絶縁層を介して立体交差する構成であると共に、第１の配線電極５０１は、立体交差部において、電極幅が他よりも小さい構成である。【選択図】図５
2011259516.tif 000002
【特許請求の範囲】
【請求項１】
圧電基板と、
前記圧電基板上に形成された複数のＩＤＴ電極と、
前記複数のＩＤＴ電極にそれぞれ接続される第１、及び第２の配線電極とを備えた弾性表面波フィルタであって、
前記第１の配線電極は入力側のＩＤＴ電極に接続され、前記第２の配線電極は出力側のＩＤＴ電極に接続され、
前記第１、及び前記第２の配線電極とは絶縁層を介して立体交差する構成であると共に、
前記第１の配線電極は、立体交差部において、電極幅が他よりも小さい構成とすることを特徴とする弾性表面波フィルタ。
【請求項２】
前記複数のＩＤＴ電極は弾性表面波の伝搬方向に沿って近接配置されることを特徴とする請求項１記載の弾性表面波フィルタ。
【請求項３】
前記絶縁層が誘電体材料により構成されていることを特徴とする請求項１または２に記載の弾性表面波フィルタ。
【請求項４】
前記第１、及び前記第２の配線電極の立体交差部における容量を制御することにより、通過特性における減衰極を制御することを特徴とする請求項１から３のいずれかに記載の弾性表面波フィルタ。
【請求項５】
前記容量は、立体交差部における配線電極の幅により制御されることを特徴とする請求項４に記載の弾性表面波フィルタ。
【請求項６】
前記容量は、立体交差部における絶縁層の厚みにより制御されることを特徴とする請求項４に記載の弾性表面波フィルタ。
【請求項７】
前記第１または前記第２の配線電極の少なくとも一方において、他の電極部との接続部の電極幅が他の部分の電極幅よりも大きいことを特徴とする請求項１または３のいずれかに記載の弾性表面波フィルタ。
【請求項８】
圧電基板と、
前記圧電基板上に形成された第１、第２、第３のＩＤＴ電極と、
反射器電極とを備えた弾性表面波フィルタであって、
前記第１、第２、第３のＩＤＴ電極と反射器電極とは弾性表面波の伝搬方向に沿って近接配置される構成であって、
前記第１、第２、第３のＩＤＴ電極における一方の電極指は共通化されて接地され、
前記第１、第３のＩＤＴ電極における他方の電極指は第１の配線電極を介して入力端子あるいは出力端子の一方に接続され、
前記第２のＩＤＴ電極における他方の電極指は第２の配線電極を介して入力端子あるいは出力端子の他方に接続され、
前記第１、及び前記第２の配線電極とは絶縁層を介して立体交差する構成であると共に、前記第１配線電極は、立体交差部において、電極幅が他よりも小さい構成とすることを特徴とする弾性表面波フィルタ。
【請求項９】
複数のＩＤＴ電極を弾性表面波の伝搬方向に沿って近接配置される第１の弾性表面波フィルタと、
複数のＩＤＴ電極を弾性表面波の伝搬方向に沿って近接配置される第２の弾性表面波フィルタとを備え、
前記第１、及び第２の弾性表面波フィルタは第１の配線電極により縦続接続され、
前記第２の弾性表面波フィルタにおけるＩＤＴ電極は第２の配線電極により入力端子あるいは出力端子に接続される構成であって、
前記第１、及び前記第２の配線電極とは絶縁層を介して立体交差する構成であると共に、前記第１の配線電極は、立体交差部において、電極幅が他よりも小さい構成とすることを特徴とする弾性表面波フィルタ。
【請求項１０】
前記第１の配線電極は１対の配線電極から構成され、
前記１対の配線電極のそれぞれに流れる信号の電気的な位相が逆相であることを特徴とする請求項９に記載の弾性表面波フィルタ。
【請求項１１】
前記第２の弾性表面波フィルタにおけるＩＤＴ電極の少なくとも一つが、平衡型の入力端子あるいは出力端子に接続されることを特徴とする請求項１０に記載の弾性表面波フィルタ。
【請求項１２】
前記第１の配線電極は前記圧電基板上に形成された接地端子に接続された請求項１、８、９のいずれかに記載の弾性表面波フィルタ。
【請求項１３】
送信フィルタと受信フィルタとを備え、前記送信フィルタまたは受信フィルタの少なくとも一方が、請求項１から３のいずれかに記載の弾性表面波フィルタにより構成されていることを特徴とする通信機器。
【発明の詳細な説明】
【技術分野】
【０００１】
本発明は、弾性表面波フィルタ及びそれを用いた通信機器に関する。
【背景技術】
【０００２】
近年、通信機器の発展に伴い、特に、携帯電話等に使用されるデバイスの高性能化、小型化が期待されている。携帯電話等では、フィルタとして、弾性表面波フィルタが広く用いられており、低ロス化、及び高減衰化に加え、小型化が期待されている。
【０００３】
以下、従来の弾性表面波フィルタについて説明する。図１４に、従来の弾性表面波フィルタの構成を示す。弾性表面波フィルタ１４００は、圧電基板１４０１上に、ＩＤＴ電極１４０２、１４０３、１４０４と反射器電極１４０５、１４０６とにより構成され、ＩＤＴ電極１４０２、１４０３、１４０４と反射器電極１４０５、１４０６は弾性表面波の伝搬方向に沿って近接配置される。ＩＤＴ電極１４０２、１４０３、１４０４の一方の電極指は、電極パッド１４０７、１４０８、１４０９に配線されてそれぞれ接地端子ＧＮＤ、入力端子ＩＮ、接地端子ＧＮＤに接続される。ＩＤＴ電極１４０２、１４０４の他方の電極指は、配線電極１４１０を介して電極パッド１４１１に接続されて出力端子ＯＵＴに接続される。ＩＤＴ電極１４０３の他方の電極指は、電極パッド１４１２に配線されて接地端子ＧＮＤに接続される。以上の構成とすることにより、弾性表面波フィルタ１４００は縦モード型の弾性表面波フィルタの構成となる。
【０００４】
また、弾性表面波フィルタの小型化のために、配線電極の一部を互いに、絶縁体を挟んで立体交差させる技術が開示されている（例えば、特許文献１参照）。
【先行技術文献】
【特許文献】
【０００５】
【特許文献１】特開２００４−２８２７０７号公報
【発明の概要】
【発明が解決しようとする課題】
【０００６】
しかしながら、従来では、電極パッドが配線電極に囲まれた構成となっており、弾性表面波フィルタのサイズが大きくなるという問題があった。また、配線電極を立体交差させた場合には、配線電極同士で容量結合が生じ、通過帯域特性が劣化するという問題があった。
【０００７】
本発明は、上記問題を解決するもので、小型で、減衰特性に優れる弾性表面波フィルタ及び通信機器を提供することを目的とする。
【課題を解決するための手段】
【０００８】
上記従来の問題を解決するために本発明は、圧電基板と、前記圧電基板上に形成された複数のＩＤＴ電極と、前記複数のＩＤＴ電極にそれぞれ接続される第１、及び第２の配線電極とを備えた弾性表面波フィルタであって、前記第１の配線電極は入力側のＩＤＴ電極に接続され、前記第２の配線電極は出力側のＩＤＴ電極に接続され、前記第１、及び前記第２の配線電極とは絶縁層を介して立体交差するとともに前記第１の配線電極は、立体交差部において、電極幅が他よりも小さい構成としたものである。
【０００９】
上記構成によって、小型で、優れた減衰特性を有する弾性表面波フィルタを実現することができる。
【００１０】
上記弾性表面波フィルタにおいては、前記複数のＩＤＴ電極は弾性表面波の伝搬方向に沿って近接配置されることが好ましい。
【００１１】
上記構成によって、小型で、優れた減衰特性を有する縦モード型の弾性表面波フィルタを実現することができるものである。
【００１２】
また、上記弾性表面波フィルタにおいては、前記絶縁層が誘電体材料により構成されていることが好ましい。
【００１３】
上記構成によって、小型で、優れた減衰特性を有する弾性表面波フィルタを実現することができるものである。
【００１４】
また、上記弾性表面波フィルタにおいては、前記第１、及び前記第２の配線電極の立体交差部における容量を制御することにより、通過特性における減衰極を制御することが好ましい。
【００１５】
上記構成によって、減衰極周波数の制御が可能な弾性表面波フィルタを実現することができるものである。
【００１６】
また、上記弾性表面波フィルタにおいては、前記容量は、立体交差部における配線電極の幅により制御されることが好ましい。
【００１７】
上記構成によって、減衰極周波数の制御が可能な弾性表面波フィルタを実現することができるものである。
【００１８】
また、上記弾性表面波フィルタにおいては、前記容量は、立体交差部における絶縁層の厚みにより制御されることが好ましい。
【００１９】
上記構成によって、減衰極周波数の制御が可能な弾性表面波フィルタを実現することができるものである。
【００２０】
また、上記弾性表面波フィルタにおいては、前記第１または前記第２の配線電極の少なくとも一方において、他の電極部との接続部の電極幅が他の部分の電極幅よりも大きいことが好ましい。
【００２１】
上記構成によって、減衰特性を改善するとともに、低ロスな弾性表面波フィルタを実現することができるものである。
【００２２】
また、従来の問題を解決するために本発明は、圧電基板と、前記圧電基板上に形成された第１、第２、第３のＩＤＴ電極と、反射器電極とを備えた弾性表面波フィルタであって、前記第１、第２、第３のＩＤＴ電極と反射器電極とは弾性表面波の伝搬方向に沿って近接配置される構成であって、前記第１、第２、第３のＩＤＴ電極における一方の電極指は共通化されて接地され、前記第１、第３のＩＤＴ電極における他方の電極指は第１の配線電極を介して入力端子あるいは出力端子の一方に接続され、前記第２のＩＤＴ電極における他方の電極指は第２の配線電極を介して入力端子あるいは出力端子の他方に接続され、前記第１、及び前記第２の配線電極とは絶縁層を介して立体交差するとともに前記第１の配線電極は、立体交差部において、電極幅が他よりも小さい構成としたものである。
【００２３】
上記構成によって、小型で、優れた減衰特性を有する弾性表面波フィルタを実現することができるものである。
【００２４】
また、従来の問題を解決するために本発明は、複数のＩＤＴ電極を弾性表面波の伝搬方向に沿って近接配置される第１の弾性表面波フィルタと、複数のＩＤＴ電極を弾性表面波の伝搬方向に沿って近接配置される第２の弾性表面波フィルタとを備え、前記第１、及び第２の弾性表面波フィルタは第１の配線電極により縦続接続され、前記第２の弾性表面波フィルタにおけるＩＤＴ電極は第２の配線電極により入力端子あるいは出力端子に接続される構成であって、前記第１、及び前記第２の配線電極とは絶縁層を介して立体交差するとともに前記第１の配線電極は、立体交差部において、電極幅が他よりも小さい構成としたものである。
【００２５】
上記構成によって、小型で、優れた減衰特性を有する２段の縦続接続された弾性表面波フィルタを実現することができるものである。
【００２６】
また、上記弾性表面波フィルタにおいては、前記第１の配線電極は１対の配線電極から構成され、前記１対の配線電極のそれぞれに流れる信号の電気的な位相が逆相であることが好ましい。
【００２７】
上記構成によって、小型で、優れた減衰特性を有する弾性表面波フィルタを実現することができるものである。
【００２８】
また、上記弾性表面波フィルタにおいては、前記第２の弾性表面波フィルタにおけるＩＤＴ電極の少なくとも一つが、平衡型の入力端子あるいは出力端子に接続されることが好ましい。
【００２９】
上記構成によって、小型で、優れた減衰特性を有する平衡型の弾性表面波フィルタを実現することができるものである。
【００３０】
また、本発明の通信機器は、送信フィルタと受信フィルタとを備え、前記送信フィルタまたは受信フィルタの少なくとも一方が、請求項１から３のいずれかに記載の弾性表面波フィルタにより構成したものである。
【００３１】
上記構成によって、小型で、高性能な通信機器を実現することができるものである。
【発明の効果】
【００３２】
本発明によれば、小型で、減衰特性に優れる弾性表面波フィルタ及び通信機器を実現することができる。
【図面の簡単な説明】
【００３３】
【図１】本発明の実施の形態１における弾性表面波フィルタの構成図
【図２】図１におけるＡ−Ａ’の断面図
【図３】本発明の実施の形態１における弾性表面波フィルタの等価回路図
【図４】本発明の実施の形態１における弾性表面波フィルタの通過特性を示す図
【図５】本発明の実施の形態１における弾性表面波フィルタの他の構成図
【図６】本発明の実施の形態１における立体交差部の容量特性を示す図
【図７】本発明の実施の形態１における弾性表面波フィルタの通過特性を示す図
【図８】本発明の実施の形態１における弾性表面波フィルタの他の構成図
【図９】本発明の実施の形態２における弾性表面波フィルタの構成図
【図１０】本発明の実施の形態２における弾性表面波フィルタの等価回路図
【図１１】本発明の実施の形態２における弾性表面波フィルタの通過特性を示す図
【図１２】本発明の実施の形態２における弾性表面波フィルタの他の構成図
【図１３】本発明の実施の形態３における通信機器の構成図
【図１４】従来の弾性表面波フィルタの構成図
【発明を実施するための形態】
【００３４】
以下、本発明の実施の形態について、図面を参照しながら説明する。
【００３５】
（実施の形態１）
図１は、本発明の実施の形態１における弾性表面波フィルタの構成図である。図１において、弾性表面波フィルタ１００は、圧電基板１０１上に形成されるＩＤＴ電極１０２、１０３、１０４と反射器電極１０５、１０６とにより構成され、ＩＤＴ電極１０２、１０３、１０４と反射器電極１０５、１０６は弾性表面波の伝搬方向に沿って近接配置される。ＩＤＴ電極１０２、１０３、１０４の一方の電極指は、電極パッド１０７に配線され、共通化されて接地端子ＧＮＤに接続される。ＩＤＴ電極１０２、１０４の他方の電極指は、配線電極１０８により電極パッド１０９に配線されて出力端子ＯＵＴに接続される。ＩＤＴ電極１０３の他方の電極指は、配線電極１１０により電極パッド１１１に配線されて入力端子ＩＮに接続される。以上の構成とすることにより、弾性表面波フィルタ１００は縦モード型の弾性表面波フィルタの構成となる。ここで、配線電極１０８と配線電極１１０とは、図２にＡ−Ａ’の断面図を示すように、絶縁層１１２を介して立体交差する構成となる。図３に、本実施の形態における弾性表面波フィルタの等価回路図を示す。図３に示すように、入力端子と出力端子との間には立体交差部により形成される容量Ｃが付加された構成となる。図４に、図３で示した回路構成において容量Ｃを０．４ｐＦとしたときの弾性表面波フィルタの通過特性を示す。図４において、４０１は本発明における弾性表面波フィルタの通過特性であり、４０２は比較のための容量がない従来の構成の弾性表面波フィルタの通過特性である。本実施の形態に示す構成を適用することにより、通過帯域の高周波数側の減衰特性を改善することができる。
【００３６】
以上説明したように、本実施の形態の構成とすることにより、立体交差部における配線電極の容量を利用して、小型で減衰特性に優れる弾性表面波フィルタを実現することができる。また、本発明の弾性表面波フィルタにおいては、従来の構成のように、電極パッド１４１１が出力端子ＯＵＴの配線に囲まれるような構成にする必要がなく、配線電極を簡易化できるため小型化が実現できる。また、ＩＤＴ電極１０２、１０３、１０４を同一の側で共通の電極パッド１０７にて接地することができるため、接地までの寄生成分を小さくし、接地強度を強くすることができ、減衰特性の改善が実現できるものである。
【００３７】
なお、本実施の形態において、立体交差部はこれに限るものではなく、図５に示すように、配線電極５０１の幅を、立体交差部において他の部分と異ならせて調整することにより、容量の大きさを調整でき、減衰極周波数が調整できる弾性表面波フィルタ５００を実現することができる。図６に示すのは、立体交差部の面積と容量との関係を示す図である。図６において、絶縁層としては、厚みが約１０００ÅのＳｉＯ2薄膜を用いている。図６より、立体交差部の面積を変化させることにより容量を制御することが可能となる。図７に示すのは、図３における容量Ｃの値を０．２ｐＦ、０．３ｐＦ、０．５ｐＦと変えたときの通過特性７０１、７０２、７０３である。容量を大きくするにつれて、減衰極は通過帯域近傍に近づけることができる。このように、立体交差部の面積を変化させることにより、容量の大きさを制御し、減衰極周波数を調整することができる。なお、この容量の制御に関しては、絶縁層の厚みを変えることによっても可能である。
【００３８】
また、図８に示すように、配線電極８０１の幅を、他の電極部との接続部８０２、８０３において他の部分よりも広くすることにより、接触抵抗を低減することにより、低ロスな弾性表面波フィルタ８００を実現することができる。
【００３９】
また、配線電極１０８、１１０は上下逆に構成されていてもかまわない。
【００４０】
また、弾性表面波フィルタの構成に関してはこれに限るものではなく、弾性表面波共振器とを組み合わせた構成であってもかまわない。
【００４１】
また、絶縁層に関しては、ＳｉＯ2やＳｉＮ、樹脂系の材料など、絶縁性が確保でき、誘電体として機能する材料であればかまわない。特に、絶縁層としてＳｉＯ2など弾性表面波フィルタの温度補償に使用される材料を用いる場合には、絶縁層がＩＤＴ電極を覆うように構成すれば、温度特性に優れた弾性表面波フィルタを実現することができる。
【００４２】
また、弾性表面波フィルタの作製に関しては、パッケージへの実装のためパッド電極の厚みを厚くするプロセスを用いる場合があり、この場合には、配線電極の形成を、パッド電極を厚くする工程等と同時に行うことにより、プロセスの工程の数を増やすことなく本発明の弾性表面波フィルタが実現できるものである。
【００４３】
（実施の形態２）
以下、本発明の弾性表面波フィルタの構成について、図面を用いて説明する。
【００４４】
図９は、本発明の実施の形態２における弾性表面波フィルタの構成図である。図９において、弾性表面波フィルタ９００は、圧電基板９０１上に形成されるＩＤＴ電極９０２、９０３、９０４と反射器電極９０５、９０６とにより構成される第１の縦モード型の弾性表面波フィルタ９０７と、ＩＤＴ電極９０８、９０９、９１０と反射器電極９１１、９１２とにより構成される第２の縦モード型の弾性表面波フィルタ９１３とにより構成される。このとき、ＩＤＴ電極９０２、９０３、９０４と反射器電極９０５、９０６は弾性表面波の伝搬方向に沿って近接配置され、ＩＤＴ電極９０８、９０９、９１０と反射器電極９１１、９１２は弾性表面波の伝搬方向に沿って近接配置される。さらに、ＩＤＴ電極９０２、９０４の一方の電極指は、電極パッドに配線されてそれぞれ接地端子ＧＮＤに接続され、ＩＤＴ電極９０３の一方の電極指は、電極パッドに配線されて入力端子ＩＮに接続される。ＩＤＴ電極９０２、９０４の他方の電極指は、配線電極９１４、９１５を介して、ＩＤＴ電極９０８、９１０の一方の電極指に接続され、ＩＤＴ電極９０３の他方の電極指は、電極パッドに配線されて接地端子ＧＮＤに接続される。ＩＤＴ電極９０９は、２つに分割されて、それぞれ分割された電極指の一方は、配線電極９１６、９１７を介して電極パッドに配線されてそれぞれ出力端子ＯＵＴ１、ＯＵＴ２に接続される。このとき、配線電極９１４、９１５と配線電極９１６、９１７とは、絶縁層９１８、９１９を介して立体配線される構成となる。また、ＩＤＴ電極９０８、９０９、９１０の他方の電極指は、共通化されて接地端子ＧＮＤに接続される。以上の構成とすることにより、平衡型端子を有する２段に縦続接続された弾性表面波フィルタ９００を構成することができる。
【００４５】
図１０に、本実施の形態における弾性表面波フィルタの等価回路図を示す。弾性表面波フィルタ９００は、配線電極９１４、９１５と出力端子ＯＵＴ１、ＯＵＴ２との間に立体交差部により形成される容量Ｃが付加された構成となる。また、配線電極９１４、９１５が第２の弾性表面波フィルタ９１３における入力側に相当することになる。図１１に、図１０で示した回路構成において容量Ｃを０．２ｐＦとしたときの弾性表面波フィルタの通過特性を示す。図１１において、１１０１は本発明における弾性表面波フィルタの通過特性であり、１１０２は比較のための容量がない従来の構成の弾性表面波フィルタの通過特性である。本実施の形態に示す構成を適用することにより、通過帯域の高周波数側の減衰特性を改善することができる。
【００４６】
以上説明したように、本実施の形態の構成とすることにより、立体交差部における配線電極の容量を利用して、小型で減衰特性に優れる弾性表面波フィルタを実現することができる。また、ＩＤＴ電極９０８、９０９、９１０を同一の側で共通の電極パッドにて接地することができるため、接地までの寄生成分を小さくし、接地強度を強くすることができ、減衰特性の改善が実現できるものである。
【００４７】
なお、本実施の形態において、立体交差部はこれに限るものではなく、実施の形態１で示したように、配線電極９１６、９１７の幅を、立体交差部において他の部分と異ならせて調整することにより、容量の大きさを制御でき、減衰極周波数が調整できる弾性表面波フィルタ９００を実現することができる。
【００４８】
また、実施の形態１で示したように、配線電極９１６、９１７の幅を、他の電極部との接触部において他の部分よりも広くすることにより、接触抵抗を低減することにより、低ロスな弾性表面波フィルタを実現することができる。
【００４９】
また、配線電極９１４、９１５と配線電極９１６、９１７は上下逆に構成されていてもかまわない。
【００５０】
また、図１２に示すようにＩＤＴ電極９０３の他方の電極指が配線電極１２０１を介して接地端子ＧＮＤに接続される構成とすることも可能である。このとき、配線電極１２０１は絶縁層１２０２、１２０３を介して配線電極９１４、９１５と立体交差する構成となる。この場合には、弾性表面波フィルタ１２００において、第１と第２の弾性表面波フィルタ９０７、９１３の間に電極パッドを設ける必要がなく、さらに小型化が実現できるものである。また、配線電極１２０１は、立体交差部において、電極幅が他よりも小さい構成とすることにより、配線電極９１４、９１５の接地面への寄生容量を小さくすることができ、通過帯域特性を改善することができる。
【００５１】
また、弾性表面波フィルタの構成に関してはこれに限るものではなく、弾性表面波共振器とを組み合わせた構成であってもかまわない。
【００５２】
また、絶縁層に関しては、ＳｉＯ2やＳｉＮ、樹脂系の材料など、絶縁性が確保でき、誘電体として機能する材料であればかまわない。特に、絶縁層としてＳｉＯ2など弾性表面波フィルタの温度補償に使用される材料を用いる場合には、絶縁層がＩＤＴ電極を覆うように構成すれば、小型で、帯域内特性、及び温度特性に優れた弾性表面波フィルタを実現することができる。
【００５３】
また、弾性表面波フィルタの作製に関しては、パッケージへの実装のためパッド電極の厚みを厚くするプロセスを用いる場合があり、この場合には、配線電極の形成を、パッド電極を厚くする工程等と同時に行うことにより、プロセスの工程の数を増やすことなく本発明の弾性表面波フィルタが実現できるものである。
【００５４】
（実施の形態３）
以下、本発明のアンテナ共用器、高周波モジュール、通信機器の構成について、図面を用いて説明する。
【００５５】
図１３は、本発明の実施の形態３における通信機器の構成図である。図１３において、通信機器１３００は、第１、第２の無線回路１３０１、１３０２と切換スイッチ１３０３により構成される。第１の無線回路１３０１は、送信フィルタ１３０４と受信フィルタ１３０５とにより構成されるアンテナ共用器１３０６と、送信回路１と、送信回路１より出力された送信信号を増幅する送信増幅器１３０７と、受信信号を増幅する受信増幅器１３０８と、受信信号が入力される受信回路１とにより構成される。第２の無線回路１３０２は、送信フィルタ１３０９と受信フィルタ１３１０とにより構成されるアンテナ共用器１３１１と、送信回路２と、送信回路２より出力された送信信号を増幅する送信増幅器１３１２と、受信信号を増幅する受信増幅器１３１３と、受信信号が入力される受信回路２とにより構成される。切換スイッチの一方の端子はアンテナ端子ＡＮＴに接続され、他方の２つの端子は、それぞれ第１、第２の無線回路１３０１、１３０２を構成するアンテナ共用器１３０６、１３１１に接続される。以上の構成とすることにより、通信機器１３００は、第１と第２の無線回路１３０１、１３０２を有する複合機の構成となる。ここで、アンテナ共用器１３０６において、送信フィルタ１３０４または受信フィルタ１３０５のいずれかに、実施の形態１または２で示した弾性表面波フィルタを適用することにより、小型で通過帯域特性に優れたアンテナ共用器１３０６を実現することができる。また、アンテナ共用器１３１１において、送信フィルタ１３０９または受信フィルタ１３１０のいずれかに、実施の形態１または２で示した弾性表面波フィルタを適用することにより、小型で通過帯域特性に優れたアンテナ共用器１３１１を実現することができる。さらに、このようなアンテナ共用器１３０６または１３１１を用いて通信機器１３００を構成することにより、小型で高性能な通信機器を実現することができる。
【００５６】
なお、本実施の形態において、通信機器における無線回路の数や回路構成などはこれに限るものではない。
【００５７】
さらに、本実施の形態におけるアンテナ共用器を用いれば、アンテナ共用器１３０６と送信増幅器１３０７とから構成される高周波モジュール１３１４として実現することも可能でありアンテナ共用器１３０６、１３１１と切換スイッチ１３０３とから構成される高周波モジュール１３１５を実現することが可能であり、小型で高性能な高周波モジュールを実現することができる。
【００５８】
なお、高周波モジュールにおいて、アンテナ共用器と組み合わせるデバイスに関しては、これに限るものではなく、受信増幅器と組み合わせることも可能である。
【００５９】
また、本実施の形態においては、高周波モジュール、通信機器に関して、アンテナ共用器を用いた構成となっているが、これは、実施の形態１または２の弾性表面波フィルタを用いた構成の通信機器であってもかまわない。
【産業上の利用可能性】
【００６０】
本発明にかかる弾性表面波フィルタは、小型で通過帯域特性に優れ、各種電子機器に応用できる。
【符号の説明】
【００６１】
１００  弾性表面波フィルタ
１０１  圧電基板
１０２、１０３、１０４  ＩＤＴ電極
１０５、１０６  反射器電極
１０７、１０９、１１１  電極パッド
１０８、１１０  配線電極
１１２  絶縁層
４０１  本実施の形態における弾性表面波フィルタの通過特性
４０２  従来の弾性表面波フィルタの通過特性
５００  弾性表面波フィルタ
５０１  配線電極
７０１、７０２、７０３  本実施の形態における弾性表面波フィルタの通過特性
８０１  配線電極
８０２、８０３  他の電極部との接続部
９００  弾性表面波フィルタ
９０１  圧電基板
９０２、９０３、９０４  ＩＤＴ電極
９０５、９０６  反射器電極
９０７  第１の縦モード型フィルタ
９０８、９０９、９１０  ＩＤＴ電極
９１１、９１２  反射器電極
９１３  第２の縦モード型フィルタ
９１４、９１５、９１６、９１７  配線電極
９１８、９１９  絶縁層
１１０１  本実施の形態における弾性表面波フィルタの通過特性
１１０２  従来の弾性表面波フィルタの通過特性
１２０１  配線電極
１２０２、１２０３  絶縁層
１３００  通信機器
１３０１  第１の無線回路
１３０２  第２の無線回路
１３０３  切換スイッチ
１３０４  送信フィルタ
１３０５  受信フィルタ
１３０６  アンテナ共用器
１３０７  送信増幅器
１３０８  受信増幅器
１３０９  送信フィルタ
１３１０  受信フィルタ
１３１１  アンテナ共用器
１３１２  送信増幅器
１３１３  受信増幅器
１３１４、１３１５  高周波モジュール
１４００  弾性表面波フィルタ
１４０１  圧電基板
１４０２、１４０３、１４０４  ＩＤＴ電極
１４０５、１４０６  反射器電極
１４０７、１４０８、１４０９、１４１１、１４１２  電極パッド
１４１０  配線電極
【図１】
2011259516.tif 000003
【図２】
2011259516.tif 000004
【図３】
2011259516.tif 000005
【図４】
2011259516.tif 000006
【図５】
2011259516.tif 000007
【図６】
2011259516.tif 000008
【図７】
2011259516.tif 000009
【図８】
2011259516.tif 000010
【図９】
2011259516.tif 000011
【図１０】
2011259516.tif 000012
【図１１】
2011259516.tif 000013
【図１２】
2011259516.tif 000014
【図１３】
2011259516.tif 000015
【図１４】
2011259516.tif 000016